(57)【特許請求の範囲】
【請求項１】
原稿を読み取り可能な読取ユニットで読み取られた画像に基づいてシートに画像を形成可能な画像形成ユニットに画像形成させるコピー処理を実行可能な画像形成装置であって、近距離無線通信ユニットを介して近距離無線通信デバイスと通信可能な画像形成装置において、
情報を表示可能であって且つユーザのタッチ操作を受け付け可能なタッチパネルと、
前記コピー処理の開始を指示するためのタッチオブジェクトが配置された指示画面が前記タッチパネルに表示されている状態において前記近距離無線通信ユニットと前記近距離無線通信デバイスとの近接状態に関する情報を取得し、前記近接状態に関する情報に少なくとも基づいて、前記タッチオブジェクトを用いた前記開始の指示を受け付けず且つ前記指示画面の一部に重畳オブジェクトを配置する処理を実行する手段と、を有し、
前記重畳オブジェクトは、前記近距離無線通信ユニットと前記近距離無線通信デバイスとが近接している状態において前記コピー処理の開始の指示を受け付け可能な更なるタッチオブジェクトを少なくとも含むことを特徴とする画像形成装置。
【請求項２】
前記配置する処理を実行する手段は、前記コピー処理の開始を指示するためのタッチオブジェクトが配置された指示画面が前記タッチパネルに表示されている状態において、前記近距離無線通信デバイスが出力する電波を検知したことに基づいて、前記タッチオブジェクトを用いた前記開始の指示を受け付けず且つ前記指示画面の一部に前記重畳オブジェクトを配置することを特徴とする請求項１記載の画像形成装置。
【請求項３】
検知手段をさらに有し、
前記検知手段は、前記近距離無線通信デバイスが出力する電波を検知することにより前記近距離無線通信ユニットと前記近距離無線通信デバイスとの近接状態に関する情報を取得し、
前記配置する処理を実行する手段は、前記検知手段が前記近距離無線通信ユニットと前記近距離無線通信デバイスとが近接したことを示す情報を取得したことに基づいて前記指示画面の一部に前記重畳オブジェクトを配置することを特徴とする請求項１又は２記載の画像形成装置。
【請求項４】
前記近距離無線通信ユニットと前記近距離無線通信デバイスとが近接しても、前記タッチオブジェクトを用いたコピー処理の実行に関する操作を受け付けていない場合、前記配置する処理を実行する手段は前記重畳オブジェクトを表示しないことを特徴とする請求項１乃至３のいずれか１項に記載の画像形成装置。
【請求項５】
前記コピー処理の実行に関する操作は、前記コピー処理を実行するための操作キーの押下、前記コピー処理の実行を中止するための操作キーの押下、又は前記画像形成装置の設定の変更を確定するための操作キーの押下を含むことを特徴とする請求項４記載の画像形成装置。
【請求項６】
前記重畳オブジェクトは確認ウインドウであることを特徴とする請求項１乃至５のいずれか１項に記載の画像形成装置。
【請求項７】
前記確認ウインドウは、コピー処理の開始を指示するための指示オブジェクトとして前記更なるタッチオブジェクトを備えることを特徴とする請求項６記載の画像形成装置。
【請求項８】
前記確認ウインドウは、前記確認ウインドウを閉じるための指示オブジェクトを備えることを特徴とする請求項６又は７記載の画像形成装置。
【請求項９】
近距離無線通信デバイスは携帯端末であることを特徴とする請求項１乃至８のいずれか１項に記載の画像形成装置。
【請求項１０】
シートに画像を形成可能な画像形成ユニットを用いる所定の処理を実行可能な画像形成装置であって、近距離無線通信ユニットを介して近距離無線通信デバイスと通信可能な画像形成装置において、
情報を表示可能であって且つユーザのタッチ操作を受け付け可能なタッチパネルと、
前記所定の処理の開始を指示するためのタッチオブジェクトが配置された指示画面が前記タッチパネルに表示されている状態において前記近距離無線通信ユニットと前記近距離無線通信デバイスとの近接状態に関する情報を取得し、前記近接状態に関する情報に少なくとも基づいて、前記タッチオブジェクトを用いた前記開始の指示を受け付けず且つ前記指示画面の一部に重畳オブジェクトを配置する処理を実行する手段と、を有し、
前記重畳オブジェクトは、前記近距離無線通信ユニットと前記近距離無線通信デバイスとが近接している状態において前記所定の処理の開始の指示を受け付け可能な更なるタッチオブジェクトを少なくとも含むことを特徴とする画像形成装置。
【請求項１１】
原稿を読み取り可能な読取ユニットを用いる所定の処理を実行可能な画像処理装置であって、近距離無線通信ユニットを介して近距離無線通信デバイスと通信可能な画像処理装置において、
情報を表示可能であって且つユーザのタッチ操作を受け付け可能なタッチパネルと、
前記所定の処理の開始を指示するためのタッチオブジェクトが配置された指示画面が前記タッチパネルに表示されている状態において前記近距離無線通信ユニットと前記近距離無線通信デバイスとの近接状態に関する情報を取得し、前記近接状態に関する情報に少なくとも基づいて、前記タッチオブジェクトを用いた前記開始の指示を受け付けず且つ前記指示画面の一部に重畳オブジェクトを配置する処理を実行する手段と、を有し、
前記重畳オブジェクトは、前記近距離無線通信ユニットと前記近距離無線通信デバイスとが近接している状態において前記所定の処理の開始の指示を受け付け可能な更なるタッチオブジェクトを少なくとも含むことを特徴とする画像処理装置。
【請求項１２】
原稿を読み取り可能な読取ユニットと、シートに画像を形成可能な画像形成ユニットと、情報を表示可能であって且つユーザのタッチ操作を受け付け可能なタッチパネルと、近距離無線通信デバイスと通信可能な近距離無線通信ユニットと、を備え、コピー処理を実行可能な画像形成装置の制御方法において、
前記コピー処理の開始を指示するためのタッチオブジェクトが配置された指示画面が前記タッチパネルに表示されている状態において前記近距離無線通信ユニットと前記近距離無線通信デバイスとの近接状態に関する情報を取得する工程と、
前記近接状態に関する情報に少なくとも基づいて、前記タッチオブジェクトを用いた前記開始の指示を受け付けず且つ前記指示画面の一部に重畳オブジェクトを配置する処理を実行する工程と、を有し、
前記重畳オブジェクトは、前記近距離無線通信ユニットと前記近距離無線通信デバイスとが近接している状態において前記コピー処理の開始の指示を受け付け可能な更なるタッチオブジェクトを少なくとも含むことを特徴とする制御方法。
【請求項１３】
シートに画像を形成可能な画像形成ユニットと、情報を表示可能であって且つユーザのタッチ操作を受け付け可能なタッチパネルと、近距離無線通信デバイスと通信可能な近距離無線通信ユニットと、を備え、前記画像形成ユニットを用いる所定の処理を実行可能な画像形成装置の制御方法において、
前記所定の処理の開始を指示するためのタッチオブジェクトが配置された指示画面が前記タッチパネルに表示されている状態において前記近距離無線通信ユニットと前記近距離無線通信デバイスとの近接状態に関する情報を取得する工程と、
前記近接状態に関する情報に少なくとも基づいて、前記タッチオブジェクトを用いた前記開始の指示を受け付けず且つ前記指示画面の一部に重畳オブジェクトを配置する処理を実行する工程と、を有し、
前記重畳オブジェクトは、前記近距離無線通信ユニットと前記近距離無線通信デバイスとが近接している状態において前記所定の処理の開始の指示を受け付け可能な更なるタッチオブジェクトを少なくとも含むことを特徴とする制御方法。
【請求項１４】
原稿を読み取り可能な読取ユニットと、情報を表示可能であって且つユーザのタッチ操作を受け付け可能なタッチパネルと、近距離無線通信デバイスと通信可能な近距離無線通信ユニットと、を備え、前記読取ユニットを用いる所定の処理を実行可能な画像処理装置の制御方法において、
前記所定の処理の開始を指示するためのタッチオブジェクトが配置された指示画面が前記タッチパネルに表示されている状態において前記近距離無線通信ユニットと前記近距離無線通信デバイスとの近接状態に関する情報を取得する工程と、
前記近接状態に関する情報に少なくとも基づいて、前記タッチオブジェクトを用いた前記開始の指示を受け付けず且つ前記指示画面の一部に重畳オブジェクトを配置する処理を実行する工程と、を有し、
前記重畳オブジェクトは、前記近距離無線通信ユニットと前記近距離無線通信デバイスとが近接している状態において前記所定の処理の開始の指示を受け付け可能な更なるタッチオブジェクトを少なくとも含むことを特徴とする制御方法。
【請求項１５】
請求項１２乃至１４のいずれか１項に記載の制御方法をコンピュータに実行させるためのプログラム。
【発明の詳細な説明】
【技術分野】
【０００１】
本発明は、画像形成装置、画像処理装置、並びにその制御方法及びプログラムに関し、特に、近距離無線通信を目的として携帯端末を画像形成装置又は画像処理装置に近づけた際のユーザの誤操作を抑制する画像形成装置、画像処理装置、並びにその制御方法及びプログラムに関する。
【背景技術】
【０００２】
近年、ＮＦＣ（Ｎｅａｒ  Ｆｉｅｌｄ  Ｃｏｍｍｕｎｉｃａｔｉｏｎ）技術と呼ばれる近距離無線通信技術に基づくペアリング又は認証等の機能を搭載した端末が多用されている。ペアリングとは、ＮＦＣ技術を利用した端末間で互いの端末情報を送受信する通信方法である。また、ペアリングは、端末間で大容量データを安全且つ高速に通信可能なＢｌｏｏｔｏｏｔｈ（登録商標）やＷｉ−Ｆｉ  Ｄｉｒｅｃｔ（登録商標）等の規格の高速無線通信を行う際のトリガーとして用いられる。例えば、ユーザが一方の端末を他方の端末にかざすだけで高速無線通信を行うために必要な情報が端末間でペアリングによって共有され、高速無線通信を行うための煩雑な設定を自動で完了させることができる（例えば、特許文献１）。
【０００３】
さらに、近年、複合機やプリンタ等の画像形成装置においてもＮＦＣ技術が利用される事例が増加している。ＮＦＣ技術を利用した画像形成装置は、自身の装置情報（ＳＳＩＤ、暗号化方式、ＩＰアドレス等）を、ＮＦＣに係る情報を格納するＮＦＣタグに予め書き込む。また、画像形成装置は、ＢｌｏｏｔｏｏｔｈやＷｉ−Ｆｉ  Ｄｉｒｅｃｔ等の規格の高速無線通信が実行可能な状態でネットワークに接続される。このとき、ＮＦＣ技術を利用した携帯端末を画像形成装置のＮＦＣタグにかざすと、ＮＦＣタグを介して読み出された各情報に基づき、画像形成装置と携帯端末間の通信がＮＦＣ通信から高速無線通信に切り替えられる。これにより、ユーザは、携帯端末を画像形成装置にかざすだけで、高速無線通信でプリントジョブやスキャンジョブを携帯端末及び画像形成装置の間で送受信することができる。
【先行技術文献】
【特許文献】
【０００４】
【特許文献１】特開２０１４−１０７８５９号公報
【発明の概要】
【発明が解決しようとする課題】
【０００５】
しかしながら、一般に、ＮＦＣタグは画像形成装置においてユーザの操作を受け付けるＵＩ（Ｕｓｅｒ  Ｉｎｔｅｒｆａｃｅ）部に配置されるため、ユーザが携帯端末をＮＦＣタグに近づけると、誤ってＵＩ部を操作するおそれがある。例えば、画像形成処理を開始するためのスタートボタンがＮＦＣタグと隣接して配置されている場合、ユーザが携帯端末を持つ手で誤ってスタートボタンを押下するおそれがある。また、タッチ入力を受け付けるタッチパネルがＮＦＣタグと隣接して配置されている場合、ユーザが携帯端末を持つ手で誤ってタッチパネルに触れるおそれがある。さらに、携帯端末自体で誤ってスタートボタンを押下したり、誤ってタッチパネルに触れるおそれもある。
【０００６】
本発明の目的は、近距離無線通信を目的として携帯端末を画像形成装置又は画像処理装置に近づけた際のユーザの誤操作を抑制することができる画像形成装置、画像処理装置、並びにその制御方法及びプログラムを提供することにある。
【課題を解決するための手段】
【０００７】
上記目的を達成するために、本発明の画像形成装置は、原稿を読み取り可能な読取ユニットで読み取られた画像に基づいてシートに画像を形成可能な画像形成ユニットに画像形成させるコピー処理を実行可能な画像形成装置であって、近距離無線通信ユニットを介して近距離無線通信デバイスと通信可能な画像形成装置において、情報を表示可能であって且つユーザのタッチ操作を受け付け可能なタッチパネルと、前記コピー処理の開始を指示するためのタッチオブジェクトが配置された指示画面が前記タッチパネルに表示されている状態において前記近距離無線通信ユニットと前記近距離無線通信デバイスとの近接状態に関する情報を取得し、前記近接状態に関する情報に少なくとも基づいて、前記タッチオブジェクトを用いた前記開始の指示を受け付けず且つ前記指示画面の一部に重畳オブジェクトを配置する処理を実行する手段と、を有し、前記重畳オブジェクトは、前記近距離無線通信ユニットと前記近距離無線通信デバイスとが近接している状態において前記コピー処理の開始の指示を受け付け可能な更なるタッチオブジェクトを少なくとも含むことを特徴とする。
【発明の効果】
【０００８】
本発明によれば、近距離無線通信を目的として携帯端末を画像形成装置又は画像処理装置に近づけた際のユーザの誤操作を抑制することができる。
【図面の簡単な説明】
【０００９】
【図１】本発明に係る情報処理装置としての画像形成装置を含む画像形成システムの構成を概略的に示す図である。
【図２】図１における画像形成装置のハードウエア構成を概略的に示すブロック図である。
【図３】図１における携帯端末のハードウエア構成を概略的に示すブロック図である。
【図４】図１における画像形成装置のＵＩ部及び近距離通信無線ユニットを示す図である。
【図５】本発明の第１の実施の形態に係る画像形成装置における操作判定処理を示すフローチャートである。
【図６】本発明の第２の実施の形態における感度閾値設定処理を示すフローチャートである。
【図７】感度閾値の例を示す図である。
【図８】第２の実施の形態における操作判定処理を示すフローチャートである。
【発明を実施するための形態】
【００１０】
以下、本発明の実施の形態について図面を参照しながら詳述する。
【００１１】
図１は、本発明の第１の実施の形態に係る情報処理装置としての画像形成装置２００を含む画像形成システム１００の構成を概略的に示す図である。
【００１２】
画像形成システム１００において、画像形成装置２００は、印刷、スキャン、コピー、ＦＡＸ、スキャンして送信等の複数の機能を備えるＭＦＰ（Ｍｕｌｔｉ  Ｆｕｎｃｔｉｏｎａｌ  Ｐｅｒｉｐｈｅｒａｌ）である。画像形成装置２００は、コントローラ２０１、プリンタ部２０８、スキャナ部２１０、ＵＩ部２３０、無線通信部２２０及び近距離無線通信部２２１を備える。無線通信部２２０は無線ＬＡＮ（Ｗｉ−Ｆｉ等）を介して外部装置と無線通信を行う。近距離無線通信部２２１は、通常、数ｃｍ〜十数ｃｍの範囲内においてＮＦＣ規格に基づく無線通信を行う。画像形成装置２００のハードウエア構成の詳細は、図２を参照して後述する。
【００１３】
携帯端末３００は、スマートフォン等の携帯電話、タブレット型パソコン、ノート型パソコン、ＰＤＡ等であり、コントローラ３０１、無線通信部３１６、近距離無線通信部３１７及びＵＩ部３１８を備える。無線通信部３１６は無線ＬＡＮを介して無線通信を行う。近距離無線通信部３１７は、近距離無線通信部２２１と同様に、ＮＦＣ規格に基づく無線通信を行う。携帯端末３００のハードウエア構成の詳細は、図３を参照して後述する。本実施の形態では、画像形成装置２００と携帯端末３００の間で近距離無線通信及び無線通信を行う場合を例として説明する。
【００１４】
図２は、図１における画像形成装置２００のハードウエア構成を概略的に示す図である。
【００１５】
図２において、コントローラ２０１は、ＣＰＵ２０２、ＲＡＭ２０３、ＲＯＭ２０４、記憶装置２０５、画像処理部２０６、プリンタＩ／Ｆ２０７及びスキャナＩ／Ｆ２０９を備える。また、コントローラ２０１は、さらに無線コントローラ２１１、操作部コントローラ２１２、ＵＳＢ  Ｉ／Ｆ２１６、ネットワークＩ／Ｆ２１７及びＦＡＸ  Ｉ／Ｆ２１８を備える。さらに、コントローラ２０１は、プリンタ部２０８、スキャナ部２１０、表示部２１３、タッチパネル・キー２１４、近距離無線通信コントローラ２１５と電気的に接続され、これらの各構成要素を制御する。
【００１６】
ＣＰＵ２０２は、画像形成装置２００全体を制御し、各構成要素とシステムバス２１９を介して接続される。ＲＡＭ２０３は、ＣＰＵ２０２が動作するためのシステムワークメモリであり、ＣＰＵ２０２の演算データや各種プログラムを格納する。また、ＲＡＭ２０３は、印刷機能に関する処理の実行時に画像処理部２０６において各種の画像処理を施された画像データを保持する画像メモリとしても機能する。ＲＯＭ２０４は、ブートＲＯＭであり、画像形成装置２００のブートプログラムを格納する。記憶装置２０５は、サイズの大きなプログラム及びデータを保存するための不揮発性二次記憶装置であり、記憶装置２０５に保存されたプログラム及びデータは、ＲＡＭ２０３に展開して使用される。
【００１７】
プリンタＩ／Ｆ２０７はプリンタ部２０８と接続され、原稿から読み取った画像データを用紙に印刷する。スキャナＩ／Ｆ２０９はスキャナ部２１０と接続され、原稿の読み取りを行う。無線コントローラ２１１は、無線通信部２２０を介して不図示のアクセスポイント又は携帯端末３００と接続され、無線ＬＡＮ通信を行う。操作部コントローラ２１２は、表示部２１３及びタッチパネル・キー２１４と接続され、ユーザから各種設定を受け付けるとともに、アラーム等を表示する。操作部コントローラ２１２、表示部２１３及びタッチパネル・キー２１４はＵＩ部２３０を構成する。画像形成装置２００は、ＵＩ部２３０を用いてユーザに対してステータスを通知するとともに、ユーザからの各種操作を受け付ける。
【００１８】
ＵＳＢ  Ｉ／Ｆ２１６は、不図示のＵＳＢコネクタを介して不図示のパーソナルコンピュータ等と接続され、ＵＳＢ通信を行う。ネットワークＩ／Ｆ２１７は、不図示のＬＡＮ  Ｉ／Ｆコネクタを介してＬＡＮ２２２に接続され、例えば、不図示のパーソナルコンピュータ等とネットワーク通信を行う。ＦＡＸ  Ｉ／Ｆ２１８は、不図示のモジュラージャックを介して公衆回線網２２３に接続され、外部装置とＦＡＸの送受信を行う。
【００１９】
近距離無線通信コントローラ２１５は、近距離無線通信部２２１を介して携帯端末３００の近距離無線通信部３１７と接続し、近距離無線通信を行う。本実施の形態における近距離無線通信は、例えば、ＮＦＣである。また、近距離無線通信コントローラ２１５は、ＥＥＰＲＯＭ等のメモリ素子を有し、画像形成装置２００の機器情報を当該メモリ素子に記憶するＮＦＣタグとして機能する。近距離無線通信コントローラ２１５及び近距離無線通信部２２１は近距離無線通信ユニット２３１を構成する。
【００２０】
図３は、図１における携帯端末３００のハードウエア構成を概略的に示す図である。
【００２１】
図３において、コントローラ３０１は、ＣＰＵ３０２、ＲＡＭ３０３、ＲＯＭ３０４、記憶装置３０５及び通話部３０６を備える。コントローラ３０１は、さらに表示コントローラ３０７、操作部コントローラ３０９、無線コントローラ３１０、ＵＳＢ通信部３１１及び近距離無線通信コントローラ３１２を備える。また、コントローラ３０１は表示部３１３、タッチパネル３１４及びキー３１５と電気的に接続され、これらの各構成要素を制御する。
【００２２】
ＣＰＵ３０２は、携帯端末３００全体を制御し、各構成要素とシステムバス３１５を介して接続される。ＲＡＭ３０３は、ＣＰＵ３０２が動作するためのシステムワークメモリであり、ＣＰＵ３０２の演算データや各種プログラムを格納する。ＲＯＭ３０４は、ブートＲＯＭであり、携帯端末３００のブートプログラムを格納する。記憶装置３０５は、サイズの大きなプログラム及びデータを保存するための不揮発性二次記憶装置である。記憶装置３０５に保存されたプログラム及びデータはＲＡＭ３０３に展開して使用される。通話部３０６は、携帯端末３００が携帯電話として機能する場合に音声通話の機能を提供する。
【００２３】
ＵＩ部３１８は、表示部３１３、タッチパネル３１４及びキー３１５を備える。表示部３１３は、例えばＬＣＤや有機ＥＬディスプレイである。タッチパネル３１４は静電容量式又は抵抗膜式（感圧式）のタッチパネルである。表示部３１３は表示コントローラ３０７に接続され、タッチパネル３１４及びキー３１５は、操作部コントローラ３０９と接続されている。
【００２４】
無線コントローラ３１０、ＵＳＢ通信部３１１及び近距離無線通信コントローラ３１２は外部Ｉ／Ｆとして機能する。無線コントローラ３１０は、無線通信部３１６を介して不図示のアクセスポイント又は画像形成装置２００と無線ＬＡＮ通信を行う。ＵＳＢ通信部３１１は、不図示のＵＳＢを介してパーソナルコンピュータと接続され、ＵＳＢ通信を行う。近距離無線通信コントローラ３１２は、近距離無線通信部３１７を介して、画像形成装置２００又は他の近距離無線通信機能を有するデバイスと近距離無線通信を行う。
【００２５】
携帯端末３００は、近距離無線通信によって画像形成装置２００の近距離無線通信コントローラ２１５のメモリ素子に記憶された機器情報を読み出し、当該機器情報に基づいて画像形成装置２００と携帯端末３００との無線ＬＡＮ接続を行う。また、携帯端末３００は近距離無線通信によって近距離無線通信コントローラ２１５のメモリ素子に携帯端末３００のメモリ等に保存されているユーザ情報を書き込む。書き込まれたユーザ情報に基づいて画像形成装置２００はユーザ認証を実行する。なお、本実施の形態では、画像形成装置２００が携帯端末３００からの電波（磁界）を受信することによって近距離無線通信（ＮＦＣ通信）が開始されるため、ＮＦＣタグとしての近距離無線通信コントローラ２１５が電波を出力することはない。
【００２６】
図４は、図１における画像形成装置２００のＵＩ部２３０及び近距離無線通信ユニット２３１を示す図であり、図４（ａ）はコピー機能が選択された場合を示し、図４（ｂ）は確認画面が表示される場合を示し、図４（ｃ）は設定画面が表示される場合を示す。
【００２７】
ＵＩ部２３０は、ディスプレイ４０２、タッチパネル４０３及び電源キー４０４で構成される。電源キー４０４はタッチパネル４０３とは異なり、機械的接点を持つスイッチであり、ユーザからの操作を受け付ける。図４（ａ）において、ディスプレイ４０２にはスタートボタン４０５、ストップボタン４０６、設定画面４０７及び設定ボタン４０８が表示される。スタートボタン４０５等をユーザが指等で押下すると、タッチパネル４０３においてタッチ操作が検出され、押下された箇所の座標に基づいてユーザの操作の種類（この場合、スタートボタン４０５が押下されたこと）が判別される。ここでは設定画面４０７において「ＣＯＰＹ」機能タブが選択されているので、スタートボタン４０５が押下されると、画像形成装置２００はコピー処理の実行指示を受け付けたと判別し、コピー処理を実行する。一方、ストップボタン４０６が押下されると、画像形成装置２００は実行中のコピー処理の一時停止又はキャンセルを受け付ける。また、設定画面４０７はコピー処理に対する各種設定を受け付ける。設定ボタン４０８が押下されると、画像形成装置２００は画面を図４（ｃ）に示す設定画面に遷移させる。なお、図４（ａ）では、選択可能な機能タブとして「ＣＯＰＹ」、「ＳＣＡＮ」及び「ＦＡＸ」が表示されているが、ＵＩ部２３０では、画像形成装置２００が備える他の機能の機能タブを表示させることもできる。
【００２８】
近距離無線通信ユニット２３１は近距離無線通信ポイント４０９を有する。近距離無線通信ポイント４０９は、近距離無線通信を行う際に、携帯端末３００の近距離無線通信部３１７を近接させる場所である。ユーザは、携帯端末３００と画像形成装置２００との近距離無線通信を実行する場合、当該近距離無線通信ポイント４０９を目印に携帯端末３００を近接させる。
【００２９】
図４（ｂ）は、近距離無線通信による電波を検出している間にスタートボタン４０５が押下されたときに表示される確認画面４１０を示す。図４（ｂ）の確認画面４１０は押下されたボタンに対応する処理（ここではコピー処理）を実行するか否かをユーザに確認するために表示される。ここで、ユーザが操作継続ボタン４１１を押下すると、コピー処理の実行指示が受け付けられ、コピー処理が実行される。一方、ユーザが操作キャンセルボタン４１２を押下するとコピー処理の実行指示が取り消され、確認画面４１０が閉じられる。なお、近距離無線通信による電波を検出していない場合は、ユーザがスタートボタン４０５を押下しても確認画面４１０は表示されない。
【００３０】
図４（ｃ）は、ユーザが設定ボタン４０８を押下したときに表示される設定画面を示す。設定画面において、設定項目４１３は、画像形成装置２００に対する各種設定を行うために用いられる。戻るボタン４１４が押下されると、画像形成装置２００は設定ボタン４０８が押下される前の画面に画面を遷移させる。
【００３１】
次に、本実施の形態に係る画像形成装置２００における操作判定処理について説明する。
【００３２】
図５は、本実施の形態に係る画像形成装置２００における操作判定処理を示すフローチャートである。本操作判定処理は、ＣＰＵ２０２がＲＯＭ２０４又は記憶装置に記憶されたプログラムをＲＡＭ２０３に展開することによって実行される。ここでは、ユーザからの操作を受け付ける画面として、図４（ａ）のコピー画面が表示された場合に実行される操作判定処理について説明する。
【００３３】
図５において、ＣＰＵ２０２は、まず、ＵＩ部２３０においてユーザからの操作を受け付けたか否かを判定する（ステップＳ５０１）。ステップＳ５０１においてユーザからの操作を受け付けたと判定すると、ＣＰＵ２０２は、近距離無線通信コントローラ２１５がＮＦＣ通信における電波を検出しているか否かを判定する（ステップＳ５０２）（検知手段）。ステップＳ５０２において電波を検出していると判定した場合、ＣＰＵ２０２は処理をステップＳ５０３に進め、電波を検出していないと判定した場合、ＣＰＵ２０２は処理をステップＳ５０７に進める。本実施の形態では、ＮＦＣ通信における電波を検出した場合が、携帯端末３００の画像形成装置２００への近接を検知した場合に該当し、当該電波を検出していない場合が、携帯端末３００の近接を検知していない場合に該当する。
【００３４】
ステップＳ５０３において、ＣＰＵ２０２は、ステップＳ５０１で受け付けたと判定されたユーザの操作がユーザに対して実行の確認が必要な処理の操作（特定の処理の実行に関する操作、以下、「特定の操作」と呼ぶ）であるか否かを判定する（判定手段）。ステップＳ５０３において、ステップＳ５０１で受け付けたと判定されたユーザの操作が特定の操作であると判定した場合、ＣＰＵ２０２は処理をステップＳ５０４に進める。一方、ステップＳ５０３において、ステップＳ５０１で受け付けたと判定されたユーザの操作が特定の操作ではないと判定した場合、ＣＰＵ２０２は処理をステップＳ５０７に進める。なお、特定の操作ではない操作はユーザに対して実行の確認が必要ない処理の操作である。本実施の形態では、特定の操作をコピー機能のスタートボタン４０５の押下とし、特定の操作ではない操作を設定ボタン４０８の押下とする。
【００３５】
ステップＳ５０４において、ＣＰＵ２０２は、図４（ｂ）に示す確認画面４１０をＵＩ部２３０に表示し（表示制御手段）、ユーザが確認画面４１０に対して操作を継続する指示を入力したか否かを判定する。ステップＳ５０５においてユーザが操作の継続をしない旨の指示を入力した（いいえボタン４１２を押下した）と判定すると、ＣＰＵ２０２は処理をステップＳ５０６に進める。ステップＳ５０６では、ＣＰＵ２０２は、ステップＳ５０１で受け付けたと判定されたユーザの操作に対応する処理を中止し、処理をステップＳ５０１に戻す。一方、ステップＳ５０５においてユーザが操作を継続する旨の指示を入力した（はいボタン４１１を押下した）と判定すると、ＣＰＵ２０２は処理をステップＳ５０７に進める。ステップＳ５０７では、ＣＰＵ２０２は、ステップＳ５０１で受け付けたと判定されたユーザの操作に対応する処理を実行した後、処理をステップＳ５０１に戻す。ここで、受け付けたと判定されたユーザの操作がスタートボタン４０５の押下である場合、ＣＰＵ２０２はコピー処理を実行する。受け付けたと判定されたユーザの操作が設定ボタン４０８である押下の場合、ＣＰＵ２０２はディスプレイ４０２の表示を図４（ｃ）に示す設定画面に遷移させる。
【００３６】
なお、図５の処理では、コピー機能のスタートボタン４０５の押下を特定の操作としたが、特定の操作はこれに限られない。例えば、特定の操作は、コピー機能のストップボタン４０６の押下、若しくは、図示しないスキャン機能、ＦＡＸ機能、スキャン画像の送信機能のいずかのスタートボタン又はストップボタンの押下であってもよい。また、特定の操作は、設定変更の確定ボタンの押下等、画像形成装置２００が実行する他の処理に対応する操作でもよい。さらに、図５の処理では、ユーザが指示を入力するためのキーとして、ディスプレイ４０２に表示されるボタン（ソフトキー）を用いる例について説明を行ったが、各キーはハードキーであってもよい。
【００３７】
図５の操作判定処理によれば、携帯端末３００を画像形成装置２００に近接させた際にＮＦＣ通信における電波が検出され且つ受け付けたと判定されたユーザの操作が特定の操作であると判定された場合、確認画面４１０が表示される。これにより、確認画面４１０の表示以後の処理には表示された確認画面４１０を確認したユーザの意図が反映されるため、確認画面４１０の表示以後にユーザが意図しない処理が実行されることがない。その結果、携帯端末３００を画像形成装置２００に近接させた際の誤操作を抑制することができる。
【００３８】
また、画像形成装置２００は、携帯端末３００がＮＦＣ通信を実行するために出力する電波に基づいて携帯端末３００の近接を検知する。電波の強弱は距離に比例するため、電波の強度に基づいて判断を行うことにより、携帯端末３００の接近を確実に検知することができる。
【００３９】
さらに、図５の操作判定処理では、携帯端末３００の近接が検知されても、受け付けたと判定されたユーザの操作が特定の操作でない場合、確認画面４１０が表示されない。特定の操作以外の操作については、画像形成装置２００は何の処理も行なわないため、ユーザに対して実行の意図を確認する必要がない。このように、確認画面４１０を表示する機会を限定することにより、常に確認画面４１０を確認するという煩わしさから、ユーザを解放することができる。
【００４０】
さらに、図５の操作判定処理では、タッチパネル４０３上の特定の領域に対してタッチ操作が行われた場合に特定の操作が行われたと判定してもよい。ここで、特定の領域は、上述の特定の操作に対応する各処理を実行するための操作キーが表示されている領域及びその近傍の領域である。例えば、スタートボタン４０５やストップボタン４０６の近傍の領域が特定の領域に該当する。スタートボタン４０５やストップボタン４０６の近傍の領域に対してタッチ操作が行われた場合は、ユーザがスタートボタン４０５やストップボタン４０６を押下する意図を持ってタッチ操作を行った可能性が高い。したがって、これらの領域に対してタッチ操作が行われた場合に特定の操作が行われたと判定することにより、ユーザの利便性を向上させることができる。
【００４１】
次に、本発明の第２の実施の形態について説明する。本実施の形態は、その構成、作用が上述した第１の実施の形態と基本的に同じであるので、重複した構成、作用については説明を省略し、以下に異なる構成、作用についての説明を行う。
【００４２】
図６は、本発明の第２の実施の形態における感度閾値設定処理を示すフローチャートである。本感度閾値設定処理は、ＣＰＵ２０２がＲＯＭ２０４に記憶されたプログラムを読み出してＲＡＭ２０３に展開することによって実行される。
【００４３】
図６において、ＣＰＵ２０２は、ＮＦＣ通信における携帯端末３００の近接状態の変化、すなわち、携帯端末３００の非近接状態から近接状態への移行又は近接状態から非近接状態への移行を検知したか否かを判定する（ステップＳ６０１）（第１の検知手段）。近接状態の変化は、例えば、近距離無線通信コントローラ２１５が携帯端末３００が出力するＮＦＣ通信における電波を検出したか否かに基づいて検知される。ステップＳ６０１において携帯端末３００の近接状態の変化を検知したと判定すると、ＣＰＵ２０２は検知した変化が近接状態から非近接状態への変化であるか否かを判定する（ステップＳ６０２）。ステップＳ６０２において非近接状態への変化を検知したと判定すると、ＣＰＵ２０２は、タッチパネル４０３に対するユーザのタッチ操作の検知するための感度閾値として、第１の感度閾値（第１の値）を設定し（ステップＳ６０３）（設定手段）、本処理を終了する。一方、ステップＳ５０２において携帯端末３００の非近接状態への変化を検知していない（近接状態への変化を検知した）と判定すると、ＣＰＵ２０２は感度閾値として、第１の感度閾値と異なる第２の感度閾値（第２の値）を設定し（ステップＳ６０４）、本処理を終了する。
【００４４】
図７は、感度閾値の構成例を示す図であり、図７（ａ）は感度閾値として圧力を採用した場合を示し、図７（ｂ）は感度閾値として時間を採用した場合を示す。いずれの場合も第１の感度閾値及び第２の感度閾値は予めＲＡＭ２０３又はＲＯＭ２０４に記憶されている。
【００４５】
感度閾値として圧力を採用した場合、第１の感度閾値として第１の圧力閾値Ｐ１が設定され、第２の感度閾値として第２の圧力閾値Ｐ２が設定される。本実施の形態では、第１の圧力閾値Ｐ１よりも第２の圧力閾値Ｐ２が大きく設定されるため、感度閾値として第２の圧力閾値が設定されている場合は、第１の圧力閾値が設定されている場合に比べてユーザはタッチパネル４０３をより強く押下する必要がある。感度閾値として時間を採用した場合、第１の感度閾値として第１の時間閾値が設定され、第２の感度閾値として第２の時間閾値が設定される。例えば、第１の時間閾値が５０ｍｓであり、第２の時間閾値が１００ｍｓであるときに、感度閾値として第２の時間閾値が設定されている場合は、第１の時間閾値が設定されている場合に比べてユーザはタッチパネル４０３をより長く押下する必要がある。すなわち、感度閾値として第２の圧力閾値Ｐ２や第２の時間閾値が設定されている場合は、ユーザによるタッチパネル４０３に対する軽微なタッチ操作が検知されにくくなる。換言すれば、図６の処理では、ＮＦＣ通信における携帯端末３００の近接を検知している場合にタッチパネル４０３に対する軽微なタッチ操作が検知されにくくなる。ここで、携帯端末３００を画像形成装置２００に近づけたユーザによる軽微なタッチ操作は誤操作である可能性が高いが、これにより、ユーザによる誤操作を抑制することができる。なお、時間閾値は上記の値だけでなく、第１の時間閾値は４５ｍｓ〜５５ｍｓのいずれかに設定されてもよく、第２の時間閾値は９５ｍｓ〜１０５ｍｓのいずれかに設定されてもよい。
【００４６】
図８は、本実施の形態における操作判定処理を示すフローチャートである。本操作判定処理は、ＣＰＵ２０２がＲＯＭ２０４に記憶されたプログラムを読み出してＲＡＭ２０３に展開することによって実行される。
【００４７】
図８において、ＣＰＵ２０２は、まず、ユーザによるタッチパネル４０３へのタッチ操作を検知したか否かを判定する（ステップＳ８０１）（第２の検知手段）。ステップＳ８０１においてタッチパネル４０３へのタッチを検知すると、ＣＰＵ２０２は、検知したタッチの感度を算出し、当該感度が図６のステップＳ６０３又はＳ６０４において設定された感度閾値より大きいか否かを判定する（ステップＳ８０２）。ステップＳ８０２において、算出された感度が設定された感度閾値よりも大きいと判定した場合、ＣＰＵ２０２は、検知したタッチはユーザが意図して行ったタッチ操作であると判定し（ステップＳ８０３）、本処理を終了する。一方、ステップＳ８０２において算出された感度が設定された感度閾値以下であると判定した場合、ＣＰＵ２０２は、検知したタッチはユーザが意図して行ったタッチ操作ではないと判定する。すなわち、ＣＰＵ２０２は、検知したタッチが誤操作であると判定し（ステップＳ８０４）、本処理を終了する。なお、検知したタッチはユーザが意図して行ったタッチ操作であると判定した場合、タッチ操作に対応する処理が実行され、検知したタッチはユーザが意図して行ったタッチ操作ではないと判定した場合、タッチ操作に対応する処理は実行されない。
【００４８】
図６の感度閾値設定処理及び図８の操作判定処理によれば、携帯端末３００の近接が検知されない場合は、感度閾値として第１の感度閾値が設定される。一方、携帯端末３００の近接が検知された場合は、上記感度閾値として第１の感度閾値よりも大きい第２の感度閾値が設定される。すなわち、携帯端末３００が近接しているか否かに応じてタッチ操作を検知するための感度閾値が変更される。ここで、タッチ操作が誤った操作である可能性は、携帯端末３００と画像形成装置２００との距離に応じて変化する。したがって、携帯端末３００が近接しているか否かに応じて感度閾値を変更することにより、タッチ操作が誤操作である可能性に関する判断を、携帯端末３００と画像形成装置２００との距離に応じて適切に行うことができる。その結果、ユーザによる画像形成装置２００の誤操作の可能性に関する判断を適切に行うことができる。
【００４９】
また、第２の感度閾値は第１の感度閾値よりもタッチ操作を検知しにくい値に設定される。すなわち、携帯端末３００が画像形成装置２００に近接するほどタッチ操作が検知されにくくなる。ここで、携帯端末３００が画像形成装置２００に近接するほどタッチ操作が誤操作である可能性が高くなる。これにより、誤操作である可能性が高いタッチ操作が検知されるのを抑制し、結果として誤操作を効果的に抑制することができる。
【００５０】
なお、感度閾値に圧力が採用された場合、タッチ操作の圧力が設定された感度閾値より高い場合にタッチ操作が検知される。これにより、誤ってなされた軽微なタッチに起因する誤操作を確実に抑制することができる。また、感度閾値に時間が採用された場合、タッチ操作の時間が設定された閾値より長い場合にタッチ操作が検知される。したがって、タッチパネル４０３に一瞬触れただけのタッチ操作であることが多い、誤ってなされた軽微なタッチに起因する誤操作を確実に抑制することができる。
【００５１】
さらに、本実施の形態において、感度閾値として第２の感度閾値が設定された場合、感度閾値がよりタッチ操作を検知しにくい値に変更された旨をユーザに通知する画面をディスプレイ４０２に表示してもよい。この場合、携帯端末３００の近接時には、画像形成装置２００は、ユーザに対してより強い力で又はより長い時間タッチパネル４０３にタッチするように促す。これにより、意図してタッチ操作を行う場合に、ユーザにより強い力又はより長い時間タッチパネル４０３にタッチさせることができる。その結果、誤ってなされた軽微なタッチに起因する誤操作を効果的に抑制することができる。
【００５２】
本発明は、上述の各実施の形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、本発明は、１以上の機能を実現する回路（例えば、ＡＳＩＣ）によっても実現可能である。
【符号の説明】
【００５３】
２００  画像形成装置
２０２  ＣＰＵ
２１２  操作部コントローラ
２１５  近距離無線通信コントローラ
３００  携帯端末
４１０  確認画面
【図１】
0006758871.tif 000002
【図２】
0006758871.tif 000003
【図３】
0006758871.tif 000004
【図４】
0006758871.tif 000005
【図５】
0006758871.tif 000006
【図６】
0006758871.tif 000007
【図７】
0006758871.tif 000008
【図８】
0006758871.tif 000009